(57)【要約】【課題】携帯電話機に蓄積された電子メール情報の中から印字すべき情報を迅速に選択して印字することができる携帯電話機用プリンタを提供すること。【解決手段】携帯電話機３０に接続するコネクタ３と、所定の情報を印字する印字部４と、コネクタを介して携帯電話機３０の情報が入力され、その情報に基づいて所定の演算処理を行い、携帯電話機３０のディスプレーに所定の電子メール情報を表示させる信号、および印字部４に所定の電子メール情報を印字させる信号を出力可能な演算部５と、携帯電話機３０に蓄積された所定の電子メール情報を携帯電話機３０のディスプレーに表示させる表示操作ボタン、表示された電子メール情報から印字すべき電子メールファイルを選択する選択操作ボタン、および選択操作ボタンで選択された電子メールファイルを印字部４で印字させる印字操作ボタンを有する操作部７と、筐体２とを具備する。【選択図】　　　図１
2004142386.tif 000002
【特許請求の範囲】
【請求項１】
携帯電話機に接続する接続部と、携帯電話機に記憶された電子メール情報を呼び出しその内容を表示させるとともに、表示された電子メール情報のうち印刷する情報を選択する選択手段と、その選択された情報を印字する印字部とを具備することを特徴とする携帯電話機用プリンタ。
【請求項２】
携帯電話機に記憶された電子メール情報を印字する携帯電話機用プリンタであって、
前記携帯電話機に接続するコネクタと、
所定の情報を印字する印字部と、
前記コネクタを介して前記携帯電話機の情報が入力され、その情報に基づいて所定の演算処理を行い、前記携帯電話機のディスプレーに所定の電子メール情報を表示させる信号、および前記印字部に所定の電子メール情報を印字させる信号を出力可能な演算部と、
前記演算部に対して、前記携帯電話機に蓄積された所定の電子メール情報を前記携帯電話機のディスプレーに表示させる処理を行わせる表示操作ボタン、前記演算部に対して、表示された電子メール情報から印字すべき電子メールファイルを選択する処理を行わせる選択操作ボタン、および前記演算部に対して、前記選択操作ボタンで選択された電子メールファイルを前記印字部で印字させる処理を開始させる印字操作ボタンを有する操作部と、
前記印字部、演算部を収容するとともに、外側部分に前記操作部を有する筐体と
を具備することを特徴とする携帯電話機用プリンタ。
【請求項３】
さらに、電子メール情報の印字の可否を表示する表示部を具備することを特徴とする請求項２に記載の携帯電話機用プリンタ。
【請求項４】
前記操作部は、前記選択操作ボタンにより選択された電子メールファイルの内容を表示させる表示ボタンをさらに有することを特徴とする請求項２または請求項３に記載の携帯電話機用プリンタ。
【請求項５】
前記演算部は、前記携帯電話機に記憶された電子メールファイルの件数を把握し、その件数を前記印字部に印字させることを特徴とする請求項２から請求項４のいずれか１項に記載の携帯電話機用プリンタ。
【請求項６】
前記電子メール情報は、受信メール情報、送信メール情報のうち少なくとも一方を含むことを特徴とする請求項１から請求項５のいずれか１項に記載の携帯電話機用プリンタ。
【発明の詳細な説明】
【０００１】
【発明の属する技術分野】
本発明は、携帯電話機内に記憶されている電子メール情報を印字する携帯可能な携帯電話機用プリンタに関する。
【０００２】
【従来の技術】
近時、携帯電話機の性能および機能の向上は目を見張るものがあり、特にｉモードの採用を契機として、一般的な通話機能に加えて、電子メール機能やインターネットへの接続機能等が重要度を増している。そのような電子メール機能やインターネットへの接続機能を用いて受信した情報は、携帯電話機に設けられた液晶ディスプレーに表示される。
【０００３】
しかしながら、携帯電話機はディスプレーが小さいため、情報量の多い電子メール情報等は一度に表示されず、スクロールさせる必要があり、その内容の確認が容易ではない。そのような不都合を解消する技術として特許文献１には、携帯電話機との接続部を本体に有し、その携帯電話機で受信した電子メールをパーソナルコンピュータを介することなく印字できる携帯電話機用プリンタが開示されている。そして、このプリンタの動作シーケンスとして、電子メールの着信の有無を判断し、電子メールの着信があった場合にはその都度印字するようになっている。
【０００４】
【特許文献１】
特開２００１−２５１４０８号公報（請求項１、図２等）
【０００５】
【発明が解決しようとする課題】
ところで、受信した電子メール情報および送信した電子メール情報は携帯電話機に内蔵しているメモリに蓄積されるが、メモリの容量を超えた場合には、古い情報が削除されてしまうため、重要な内容のものは書面として残しておきたいという要望がある。また、情報の内容によっては、一度印字してから内容を確認したほうが便利な場合もある。そのような要望に対応するためには、蓄積した電子メール情報を確認してその中から印字したい情報を選択して印字する必要があるが、上記特許文献１に開示された技術では、そのような場合には対応することができない。
【０００６】
本発明はかかる事情に鑑みてなされたものであって、携帯電話機に蓄積された電子メール情報の中から印字すべき情報を迅速に選択して印字することができる携帯電話機用プリンタを提供することを目的とする。
【０００７】
【課題を解決するための手段】
上記課題を解決するために、本発明は、第１に、携帯電話機に接続する接続部と、携帯電話機に記憶された電子メール情報を呼び出しその内容を表示させるとともに、表示された電子メール情報のうち印刷する情報を選択する選択手段と、その選択された情報を印字する印字部とを具備することを特徴とする携帯電話機用プリンタを提供する。
【０００８】
このような構成によれば、携帯電話機に記憶された電子メール情報を呼び出しその内容を表示させるとともに、表示された電子メール情報のうち印刷する情報を選択する選択手段を設け、それにより選択された情報を印字するので、携帯電話機を操作することなく、迅速に、携帯電話機に蓄積された電子メール情報の中から印字すべき情報を選択して印字することができる。
【０００９】
また、本発明は、第２に、携帯電話機に記憶された電子メール情報を印字する携帯電話機用プリンタであって、前記携帯電話機に接続するコネクタと、所定の情報を印字する印字部と、前記コネクタを介して前記携帯電話機の情報が入力され、その情報に基づいて所定の演算処理を行い、前記携帯電話機のディスプレーに所定の電子メール情報を表示させる信号、および前記印字部に所定の電子メール情報を印字させる信号を出力可能な演算部と、前記演算部に対して、前記携帯電話機に蓄積された所定の電子メール情報を前記携帯電話機のディスプレーに表示させる処理を行わせる表示操作ボタン、前記演算部に対して、表示された電子メール情報から印字すべき電子メールファイルを選択する処理を行わせる選択操作ボタン、および前記演算部に対して、前記選択操作ボタンで選択された電子メールファイルを前記印字部で印字させる処理を開始させる印字操作ボタンを有する操作部と、前記印字部、演算部を収容するとともに、外側部分に前記操作部を有する筐体とを具備することを特徴とする携帯電話機用プリンタを提供する。
【００１０】
このような構成によれば、演算部を、コネクタを介して携帯電話機の情報が入力され、その情報に基づいて所定の演算処理を行い、携帯電話機のディスプレーに所定の電子メール情報を表示させる信号、および印字部に所定の電子メール情報を印字させる信号を出力可能に構成し、かつ、操作部の表示操作ボタンにより、演算部に対して、携帯電話機に蓄積された所定の電子メール情報を携帯電話機のディスプレーに表示させる処理を行わせ、選択操作ボタンにより、演算部に対して、表示された電子メール情報から印字すべき電子メールファイルを選択する処理を行わせ、印字操作ボタンにより、演算部に対して、携帯電話機のディスプレーに表示されている電子メール情報を印字部で印字させる処理を開始させるようにしたので、操作部のボタン操作のみにより、携帯電話機に蓄積された電子メール情報を確認表示させ、その中から所望の電子メール情報を選択的に印字することができる。したがって、携帯電話機を操作することなく、迅速に、携帯電話機に蓄積された電子メール情報の中から印字すべき情報を選択して印字することができる。
【００１１】
上記第２の発明において、さらに、電子メール情報の印字の可否を表示する表示部を具備することが好ましい。また、前記操作部が前記選択操作ボタンにより選択された電子メールファイルの内容を表示させる表示ボタンをさらに有するようにしてもよい。さらに、前記演算部が前記携帯電話機に記憶された電子メールファイルの件数を把握するようにし、その件数を前記印字部に印字させるようにしてもよい。
【００１２】
また、上記第１および第２の発明において、前記電子メール情報は、受信メール情報、送信メール情報のうち少なくとも一方を含むものであってよい。
【００１３】
【発明の実施の形態】
以下、添付図面を参照して、本発明の一実施形態について具体的に説明する。図１は本発明の一実施形態に係る携帯電話機用プリンタの概略構成を示す斜視図、図２はその構成を示すブロック図である。この携帯電話機用プリンタ１は、直方体状をなす筐体２と、筐体２の側面に設けられ、携帯電話機３０が接続されるコネクタ３と、筐体２内に設けられた印字部４と、筐体２内に設けられたＣＰＵ（演算部）５と、所定の情報を記憶するメモリ部６と、筐体２の上面に設けられた操作部７と、表示部８とを有している。そして、コネクタ３と携帯電話機３０とは、ケーブル線３１で接続される。
【００１４】
ＣＰＵ５には、ケーブル３１およびコネクタ３を介して携帯電話機３０の情報が入力され、その情報に基づいて所定の演算処理を行う。そして、ＣＰＵ５は、後述するように携帯電話機３０のディスプレーに所定の電子メール情報を表示させる信号、および印字部４に所定の電子メール情報を印字させる信号を出力可能となっている。また、携帯電話機３０の全ての電子メール情報を受信することにより、メール数をチェックすることが可能であり、チェック終了後、印字部４にメール数を印字させる。メモリ部６はフラッシュＲＯＭを有している。このメモリ部６は、ＣＰＵ５に接続されており、ＣＰＵ５に入力された情報が記憶されるようになっている。なお、コネクタ３とＣＰＵ５との間には、携帯電話機３０を保護するための保護回路１６が接続されている。
【００１５】
印字部４は、その中に印字用のロール紙９が収納されている。そして、筐体２に設けられた排紙口１０から印字済みのロール紙９が排出されるようになっている。この印字部４は、サーマルヘッドおよびロール紙９を送る駆動モーターを内蔵したサーマルプリンタ１１と、サーマルヘッドに駆動信号を送るトランジスタアレー１２と、駆動モーターに駆動信号を送るモーター駆動回路１３を有しており、ＣＰＵからの指令でトランジスタアレー１２と、モーター駆動回路１３を動作させてサーマルプリンタ１１によりロール紙に印字する。なお、符号１４はタコジェネレータ波形整形回路であり、１５は印字パルス幅コントロール回路である。
【００１６】
操作部７は、図３に示すように、ＥＮＴＥＲボタン２１、ＵＰボタン２２、ＤＯＷＮボタン２３およびＣＡＮＣＥＬボタン２４を有している。ＥＮＴＥＲボタン２１は印字開始ボタンの役割および電子メールファイルの一覧を表示する表示ボタンの役割、および選択された電子メールファイルの内容表示ボタンの役割という３つの役割を有しており、所定のタイミングで操作されることによりＣＰＵ５に各役割に応じた所定の処理を行う信号を与える。ＵＰボタン２２およびＤＯＷＮボタン２３は、表示された電子メールファイル一覧表示から印字すべき電子メールファイルを選択するためのものであり、ＵＰボタン２２を操作することにより順方向に選択する電子メールファイルが移動され、ＤＯＷＮボタン２３を操作することにより逆方向に選択する電子メールファイルが移動される。具体的にはカーソルを順次移動させて選択する電子メールファイルにカーソルを位置させる。この状態においてＣＰＵ５はその電子メールファイルを選択している。その状態でＥＮＴＥＲボタン２１が操作されることにより、その電子メールファイルの内容が表示され、もう一度ＥＮＴＥＲボタン２１が操作されることによりＣＰＵ５に対して印字指令を出力し、ＣＰＵ５に、ＵＰボタン２２またはＤＯＷＮボタン２３により選択された電子メールファイルを印字部４で印字させる処理を開始させる。ＣＡＮＣＥＬボタン２４は、電子メールファイルの内容が表示されているときに操作されることにより、電子メールファイルの一覧表示に戻す役割を有する。
【００１７】
表示部８は、ＲＥＡＤＹ２５とＰＥ２６の２つのＬＥＤからなっている。ＲＥＡＤＹ２５は、電子メール印字が可能な場合に緑色に光り、携帯電話機３０が接続されていない場合、および携帯電話機３０との通信中は赤色に光り、電子メール印字中はオレンジ色に光る。
【００１８】
次に、このように構成される携帯電話機用プリンタ１の受信メール印刷フローについて図４のフローチャートを参照して説明する。
まず、携帯電話機３０をケーブル３１を用いてコネクタ３に接続する（ステップ１）。このとき接続を自動で認識する。次いで、ＣＰＵ５が携帯電話機３０の全ての電子メール情報を受け取り、受信メールファイル件数をチェックする（ステップ２）。チェックされた受信メールファイル件数は印字部４で印字される。その後ＥＮＴＥＲボタン２１の操作待ちの状態となり、ＥＮＴＥＲボタン２１の操作により処理が開始される（ステップ３）。なお、このときＣＡＮＣＥＬボタン２４を操作すると印字部の紙送りがなされる。このＥＮＴＥＲボタン２１の操作により、受信メールファイル一覧表示まで携帯電話機３０を自動操作する（ステップ４）。その後、ＵＰボタン２２またはＤＯＷＮボタン２３を操作することにより印字すべき受信メールファイルを選択する（ステップ５）。次いで、ＥＮＴＥＲボタン２１を操作することにより、電子メールの内容が表示されその内容を確認した後、再びＥＮＴＥＲボタン２１を操作し、ＣＰＵ５に対して印字指令を出力する（ステップ６）。間違えて選択したことが判明した場合等には、再びＥＮＴＥＲボタン２１を操作する代わりＣＡＮＣＥＬボタン２４を操作することにより、受信メールファイル一覧表示まで戻し、再び選択動作を開始すればよい。このように印字指令が出力されることによりＣＰＵ５が印字部４に印字開始指令を出力し、印字が開始される（ステップ７）。以上により受信メールの印刷動作が終了する。
【００１９】
このように、操作部７のボタン操作のみにより、携帯電話機３０に蓄積された電子メール情報を確認表示させ、その中から所望の電子メール情報を選択的に印字することができる。したがって、携帯電話機３０を操作することなく、迅速に、携帯電話機３０に蓄積された電子メール情報の中から印字すべき情報を選択して印字することができる。
【００２０】
なお、本発明は上記実施の形態に限定されることなく種々変形可能である。例えば、上記実施の形態では、電子メール情報が受信メールの場合について説明したが、送信メールであってもよく、これら両方であってもよい。また、ＥＮＴＥＲボタンを、印字開始ボタンの役割および電子メールファイルの一覧を表示する表示ボタンの役割、および選択された電子メールファイルの内容表示ボタンの役割という３つの役割を有するものとしたが、それぞれの機能を有する別個のボタンとしてもよい。
【００２１】
【発明の効果】
以上説明したように、本発明によれば、携帯電話機に記憶された電子メール情報を呼び出しその内容を表示させるとともに、表示された電子メール情報のうち印刷する情報を選択する選択手段を設け、それにより選択された情報を印字するので、携帯電話機を操作することなく、迅速に、携帯電話機に蓄積された電子メール情報の中から印字すべき情報を選択して印字することができる。
【００２２】
また、演算部を、コネクタを介して携帯電話機の情報が入力され、その情報に基づいて所定の演算処理を行い、携帯電話機のディスプレーに所定の電子メール情報を表示させる信号、および印字部に所定の電子メール情報を印字させる信号を出力可能に構成し、かつ、操作部の表示操作ボタンにより、演算部に対して、携帯電話機に蓄積された所定の電子メール情報を携帯電話機のディスプレーに表示させる処理を行わせ、選択操作ボタンにより、演算部に対して、表示された電子メール情報から印字すべき電子メールファイルを選択する処理を行わせ、印字操作ボタンにより、演算部に対して、携帯電話機のディスプレーに表示されている電子メール情報を印字部で印字させる処理を開始させるようにしたので、操作部のボタン操作のみにより、携帯電話機に蓄積された電子メール情報を確認表示させ、その中から所望の電子メール情報を選択的に印字することができ、携帯電話機を操作することなく、迅速に、携帯電話機に蓄積された電子メール情報の中から印字すべき情報を選択して印字することができる。
【図面の簡単な説明】
【図１】本発明の一実施形態に係る携帯電話機用プリンタの概略構成を示す斜視図。
【図２】本発明の一実施形態に係る携帯電話機用プリンタの構成を説明するためのブロック図。
【図３】本発明の一実施形態に係る携帯電話機用プリンタの操作部および表示部を示す平面図。
【図４】本発明の一実施形態に係る携帯電話機用プリンタの印字動作を説明するためのフローチャート。
【符号の説明】
１；携帯電話機用プリンタ
２；筐体
３；コネクタ
４；印字部
５；ＣＰＵ（演算部）
６；メモリ部
７；操作部
８；表示部
２１，２２，２３，２４；操作ボタン
３０；携帯電話機
【図１】
2004142386.tif 000003
【図２】
2004142386.tif 000004
【図３】
2004142386.tif 000005
【図４】
2004142386.tif 000006